(57)【要約】【課題】光源ユニットへ供給される空気に含まれる埃等を、効率的に除去することができる投写型表示装置を提供する。【解決手段】プロジェクタは、吸気口８を有する本体キャビネット１と、本体キャビネット１内に配されたランプユニット１４と、ランプユニット１４に隣接され、ランプユニット１４を冷却するファンユニット１６とを備える。ここで、吸気口８から本体キャビネット１内部に取り込まれた空気は、ファンユニット１６内部に取り込まれて、ランプユニット１４へ供給される。ファンユニット１６には、ファンユニット１６内部に取り込まれる空気から不要物を除去するフィルタユニット７００が設けられる。【選択図】図５
2011237725.tif 000002
【特許請求の範囲】
【請求項１】
投写型表示装置において、
吸気口を有する本体キャビネットと、
前記本体キャビネット内に配された光源ユニットと、
前記光源ユニットに隣接され、前記光源ユニットを冷却する冷却ユニットと、を備え、
前記吸気口から前記本体キャビネット内部に取り込まれた空気が、前記冷却ユニット内部に取り込まれて、前記光源ユニットへ供給されるとともに、
前記冷却ユニットには、当該冷却ユニット内部に取り込まれる空気から不要物を除去するフィルタ部が設けられる、
ことを特徴とする投写型表示装置。
【請求項２】
請求項１に記載の投写型表示装置において、
前記冷却ユニットには、前記フィルタ部を取り外し可能に収容するフィルタ収容部が設けられ、
前記本体キャビネットには、前記フィルタ収容部から取り外される際に前記フィルタ部が通る開口部が設けられる、
ことを特徴とする投写型表示装置。
【請求項３】
請求項２に記載の投写型表示装置において、
前記フィルタ収容部は、前記フィルタ部を、前記本体キャビネットの上面側に取り外し可能に収容し、
前記開口部は、前記本体キャビネットの上面に配されている、
ことを特徴とする投写型表示装置。
【請求項４】
請求項１ないし３の何れか一項に記載の投写型表示装置において、
前記冷却ユニットは、前記フィルタ部を通過した空気を取り込むための取込口を有し、
前記フィルタ部は、前記取込口の正面位置であって、前記取込口に対して斜めに配される、
ことを特徴とする投写型表示装置。
【発明の詳細な説明】
【技術分野】
【０００１】
本発明は、光源からの光を光変調素子によって変調し、被投写面に拡大投写する投写型表示装置に関する。
【背景技術】
【０００２】
従来、液晶プロジェクタ等の投写型表示装置（以下、「プロジェクタ」という）には、メタルハライドランプ、高圧水銀ランプ等の高輝度な光源が用いられている。かかる光源は、発光時に非常に高温となる。このため、冷却装置によって光源を冷却する必要がある。この場合、外部から取り込んだ空気を光源に供給し、光源を冷却する構成が用いられ得る。
【０００３】
外部の空気は、本体キャビネットに設けられた吸気口から本体キャビネット内部に取り込まれる。吸気口にはフィルタが配され、フィルタによって、取り込まれる空気から埃や塵が除去される（たとえば、特許文献１、特許文献２参照）。
【０００４】
光源へは、埃等が除去された空気が冷却装置によって供給される。これにより、埃等の影響を受けて光源に不具合が生じるのを防止することができる。
【先行技術文献】
【特許文献】
【０００５】
【特許文献１】特開２０００−２５８８４２号公報
【特許文献２】特開２００９−１９２８７８号公報
【発明の概要】
【発明が解決しようとする課題】
【０００６】
本体キャビネット内部には、光源を冷却する冷却装置の他に、液晶パネル等の光変調素子を冷却する冷却装置や電源回路を冷却する冷却装置が配される。
【０００７】
これら全ての冷却装置へ供給される外部空気が、本体キャビネットの吸気口を通過する。このため、吸気口からの吸気量は多くなり。これに伴って、フィルタで除去する埃等の量も多くなる。よって、上記構成のように、吸気口にフィルタが配される場合には、フィルタの寿命（使用時間）を考慮して、配置容積の大きなフィルタが必要となる。
【０００８】
また、埃の影響を受けやすい光変調素子が密閉され、直接、光変調素子が空気に触れない構成を用いたプロジェクタも実施化されている。このような構成の場合、光源用の冷却装置以外の他の冷却装置には、必ずしも埃等が除去された空気を供給する必要がなくなる、よって、上記のように吸気口に大きなフィルタを用いたのでは、コストの無駄が生じる。
【０００９】
本発明は、このような課題に鑑みてなされたものであり、光源へ供給される空気に含まれる埃等を、効率的に除去することができる投写型表示装置を提供することを目的とする。
【課題を解決するための手段】
【００１０】
本発明の投写型表示装置は、吸気口を有する本体キャビネットと、前記本体キャビネット内に配された光源ユニットと、前記光源ユニットに隣接され、前記光源ユニットを冷却する冷却ユニットとを備える。ここで、前記吸気口から前記本体キャビネット内部に取り
込まれた空気は、前記冷却ユニット内部に取り込まれて、前記光源ユニットへ供給される。前記冷却ユニットには、当該冷却ユニット内部に取り込まれる空気から不要物を除去するフィルタ部が設けられる。
【００１１】
本発明の投写型表示装置によれば、冷却ユニットにフィルタ部が設けられており、本体キャビネット内部に取り込まれた空気が、さらに冷却ユニット内部に取り込まれる際に、空気に含まれる不要物がフィルタ部によって除去される。これにより、不要物の影響を受けて光源ユニットに不具合が生じるのを防止することができる。しかも、冷却ユニットへの吸気量に応じたフィルタ部を用いれば良く、フィルタ部を吸気口に設ける構成と比べて、フィルタ部を小さくできる。
【００１２】
なお、本発明の投写型表示装置によれば、光変調素子が空気に触れない構成である等、光源ユニット以外の冷却対象について埃等を除去する必要がない場合、吸気口からフィルタを省略することができる。よって、構成の簡素化とコストの削減を図ることができる。
【００１３】
本発明の投写型表示装置において、前記冷却ユニットには、前記フィルタ部を取り外し可能に収容するフィルタ収容部が設けられ得る。この場合、前記本体キャビネットには、前記フィルタ収容部から取り外される際に前記フィルタ部が通る開口部が設けられ得る。
【００１４】
このような構成とすれば、フィルタ部が目詰まりを起こした場合、ユーザは、開口部を通じてフィルタ収容部からフィルタ部を取り外すことができる。これにより、ユーザは、容易にフィルタ部の掃除や交換を行うことができる。
【００１５】
かかる構成において、前記フィルタ収容部は、前記フィルタ部を、前記本体キャビネットの上面側に取り外し可能に収容する構成とされ得る。この場合、前記開口部は、前記本体キャビネットの上面に配される。
【００１６】
このような構成とすれば、ユーザは、投写型表示装置を設置したままで、フィルタ収容部からフィルタ部を取り外すことができる。よって、フィルタ部の掃除や交換がさらに簡便となる。
【００１７】
なお、「本体キャビネットの上面」とは、いわゆる、据え置き設置される場合に、上方を向く面を言う。以下の実施の形態のように映像光が反射ミラーで折り返される構成の投写型表示装置では、投写型表示装置が床や机等の設置面に設置され、設置面と垂直な被投写面に画像が投写される場合に上方を向く面が、「本体キャビネットの上面」となる。
【００１８】
本発明の投写型表示装置において、前記冷却ユニットは、前記フィルタ部を通過した空気を取り込むための取込口を有する構成とされ得る。この場合、前記フィルタ部は、前記取込口の正面位置であって、前記取込口に対して斜めに配され得る。
【００１９】
このような構成とすれば、取込口に対してフィルタ部の面積を大きくできるので、フィルタ部の寿命（使用時間）を長くすることができる。
【発明の効果】
【００２０】
以上のとおり、本発明によれば、光源ユニットへ供給される空気に含まれる埃等を、効率的に除去することができる投写型表示装置を提供することができる。
【００２１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２２】
【図１】実施の形態に係るプロジェクタの外観構成を示す図（斜視図）である。
【図２】実施の形態に係るプロジェクタの外観構成を示す図（底面図）である。
【図３】実施の形態に係るプロジェクタの内部構造を示す図である。
【図４】実施の形態に係る投写光学ユニットの構成を模式的に示す図である。
【図５】実施の形態に係るランプユニットおよびファンユニットの構成を示す図である。
【図６】実施の形態に係るランプユニットおよびファンユニットの構成を示す図である。
【図７】実施の形態に係るフィルタユニットの構成示す図である。
【図８】実施の形態に係るファンユニットを上側のガイド片の位置で水平方向に切断した断面図である。
【図９】実施の形態に係る上方から見たランプ用カバーが取り外された状態のプロジェクタの要部の斜視図である。
【発明を実施するための形態】
【００２３】
以下、図面を参照して、本発明の実施の形態について説明する。
【００２４】
図１および図２は、プロジェクタの外観構成を示す図である。図１（ａ）は、前方から見たプロジェクタの斜視図であり、図１（ｂ）は後方から見たプロジェクタの斜視図である。また、図２は、プロジェクタの底面図である。なお、説明の便宜上、図１（ａ）、（ｂ）および図２には、ぞれぞれ、前後左右の方向を示す矢印や上下の方向を示す矢印が描かれている。以下、同様に、他の図面においても、必要に応じて、方向を示す矢印が描かれる。
【００２５】
本実施の形態のプロジェクタは、いわゆる短焦点投写型のプロジェクタである。図１を参照して、プロジェクタは、略直方体形状を有する本体キャビネット１を備えている。本体キャビネット１は、下キャビネット２と、下キャビネット２に上方から被せられる上キャビネット３とで構成されている。
【００２６】
本体キャビネット１の上面には、後方に向けて下る第１傾斜面１ａと、この第１傾斜面１ａに続いて後方に向けて上る第２傾斜面１ｂが形成されている。第２傾斜面１ｂは上斜め前方を向いており、この第２傾斜面１ｂに投写口４が形成されている。投写口４から上斜め前方へ出射された映像光が、プロジェクタの前方に配されたスクリーンに拡大投写される。
【００２７】
また、本体キャビネット１の上面には、ランプ用カバー５が設けられている。本体キャビネット１の上面には、ランプユニットを交換するためのランプ用開口と、ランプユニットを冷却するファンユニットに配されたフィルタを交換するためのフィルタ開口が形成されている。ランプ用カバー５は、これらランプ用開口およびフィルタ用開口を覆うためのカバーである。さらに、本体キャビネット１の上面には、複数の操作キーからなる操作部６が設けられている。
【００２８】
本体キャビネット１の右側面には、端子口部７が形成されている。端子口部７には、ＡＶ端子等の各種の端子を有する端子パネル２３３が配されている。端子パネル２３３は、後述する制御回路ユニットの一部を構成する。プロジェクタには、ＡＶ端子を通じて、映像信号や音声信号などのＡＶ（Audio Visual）信号が入出力される。また、本体キャビネット１の右側面には、端子口部７の上方に、吸気口８が設けられている。吸気口８は多数のスリット状の孔によって構成されており、吸気口８を通じて外気が本体キャビネット１
内に取り込まれる。
【００２９】
本体キャビネット１の左側面には、第１排気口９および第２排気口１０が設けられている。これら排気口９、１０は多数のスリット状の孔によって構成されており、これら排気口９、１０を通じて本体キャビネット１内部の空気が機外に排出される。また、本体キャビネット１の後面には、出音口１１が形成されている。出音口１１からは、投写時に映像に対応する音声が出力される。
【００３０】
図２を参照して、キャビネット１の底面には、前部中央部に固定脚１２が設けられており、後端部に２つの調整脚１３が設けられている。２つの調整脚１３を上下に伸縮させることにより、本体キャビネット１の前後方向および左右方向の傾きが調整できる。これにより、スクリーンに投写された画像の上下の位置や左右の傾きが調整できる。
【００３１】
本実施の形態のプロジェクタでは、本体キャビネット１の底面が机や床等の設置面に設置される据え置き設置以外に、本体キャビネット１が上下逆さまにされて天井に設置される天吊り設置が可能である。また、本体キャビネット１の前面には、端子パネル２３３や吸気口８が設けられておらず、前面は平坦な面とされている。このため、本実施の形態のプロジェクタでは、本体キャビネット１の前面が設置面に設置される設置形態をとることができる。この場合、設置面自身に画像が投写される。
【００３２】
図３は、プロジェクタの内部構造を示す図である。同図は、前方から見た、上キャビネット３が取り外された状態の斜視図である。なお、便宜上、図３には、光変調ユニット１５および投写光学ユニット１７が点線にて描かれている。また、吸気口８の位置が一点鎖線にて示されている。
【００３３】
図３を参照して、下キャビネット２の前部には、ランプユニット１４と、ランプユニット１３からの光を変調して映像光を生成する光変調ユニット１５とが配されている。
【００３４】
ランプユニット１４は、光源ランプと、光源ランプを保持するランプホルダにより構成されており、上方から着脱できるよう配されている。ランプユニット１４の後方には、ファンユニット１６が配されている。ファンユニット１６は、吸気口８から取り込んだ外気（冷却風）を光源ランプに供給して、光源ランプを冷却する。ランプホルダには、ファンユニット１６からの冷却風を光源ランプへ導くための通風ダクトが設けられている。
【００３５】
光変調ユニット１５は、カラーホイールとＤＭＤ（デジタル・マイクロミラー・デバイス）とを含む。カラーホイールは、光源ランプからの白色光を、赤、緑、青等の各色光に時分割で分離する。ＤＭＤは、カラーホイールから出射された各色光を、映像信号に基づいて変調する。
【００３６】
光変調ユニット１５の後方には、投写光学ユニット１７が配されている。投写光学ユニット１７は、光変調ユニット１５により生成された映像光を拡大し、スクリーン等の被投写面に投写する。
【００３７】
図４は、投写光学ユニット１７の構成を模式的に示す図である。なお、同図には、投写光学ユニット１７に加えて、光変調ユニット１５、制御回路ユニット２３およびノイズフィルタユニット２４が模式的に描かれている。
【００３８】
投写光学ユニット１７は、投写レンズユニット１７１と、反射ミラー１７２と、これら投写レンズユニット１７１および反射ミラー１７２を収容するハウジング１７３により構成されている。投写レンズユニット１７１は、複数のレンズ１７１ａを有している。反射
ミラー１７２は、曲面ミラーあるいは自由曲面ミラーである。
【００３９】
図４に示すように、光変調ユニット１５から出射された映像光は、投写レンズユニット１７１の光軸Ｌから本体キャビネット１の上面方向にシフトした位置において、投写レンズユニット１７１に入射する。入射した映像光は、投写レンズユニット１７１によってレンズ作用を受け、反射ミラー１７２に入射する。その後、映像光は、反射ミラー１７２によって広角化され、光線通過窓１７４を介して、被投写面（スクリーン面）へ投写される。
【００４０】
上記のように、映像光は、投写レンズユニット１７１の光軸Ｌから本体キャビネット１の上面方向にシフトした位置において、投写レンズユニット１７１に入射するため、反射ミラー１７２は、投写レンズユニット１７１の光軸Ｌから本体キャビネット１の底面側にシフトするようにして配置される。ここで、反射ミラー１７２は、投写レンズユニット１７１を構成する各レンズのレンズ面よりも大きな反射面を有するため、投写レンズユニット１７１の光軸Ｌに対する反射ミラー１７２のシフト量は比較的大きなものとなる。このため、投写レンズユニット１７１の下方には、本体キャビネット１（下キャビネット２）の底面との間に、比較的大きな空間Ｇが生じる。この空間Ｇは、投写レンズユニット１７１の配置位置から光変調ユニット１５の配置位置にかけて生じる。
【００４１】
図３に戻り、ファンユニット１６の後方には、電源ユニット１８が配されている。電源ユニット１８は、電源回路を備えており、プロジェクタの各電装部品に電源の供給を行う。電源ユニット１８の後方には、スピーカー１９が配されている。スピーカー１９から出力された音声は、出音口１１より外部に放出される。
【００４２】
光変調ユニット１５の右方には、ＤＭＤ用冷却ファン２０が配されている。ＤＭＤ用冷却ファン２０は、ＤＭＤを冷却するために、吸気口８から取り込んだ外気を光変調ユニット１５に供給する。なお、ＤＭＤは光変調ユニット１５内に密閉状態で配置されており、ＤＭＤが、送風された外気に直接触れることはない。
【００４３】
ランプユニット１４の左方には、ランプ用排気ファン２１が設けられている。ランプ用排気ファン２１は、光源ランプを冷却した後の冷却風を取り込み、第１排気口９を通じて外部に排出する。
【００４４】
電源ユニット１８の左方には、電源用排気ファン２２が設けられている。電源用排気ファン２２は、電源ユニット１８内の温まった空気を取り込み、第２排気口１０を通じて外部に排出する。電源ユニット１８内から電源用排気ファン２２へ空気が流れることにより、新たな外気が吸気口８から取り込まれて電源ユニット１８内へ供給される。
【００４５】
さて、図３および図４に示すように、本実施の形態のプロジェクタでは、投写レンズユニット１０１と光変調ユニット１５の下方に生じた上記空間Ｇに、制御回路ユニット２３およびノイズフィルタユニット２４が配されている。
【００４６】
ノイズフィルタユニット２４は、ノイズフィルタやヒューズが配された回路基板を備えており、入力された商用交流電源からノイズを除去して電源ユニット１８に供給する。
【００４７】
制御回路ユニット２３は、制御回路基板２３１と、制御回路基板２３１を保持するホルダ２３２と、端子パネル２３３と、端子パネル２３３を固定するための固定板２３４とを含む。
【００４８】
制御回路基板２３１には、光源ランプやＤＭＤなどの各種駆動部品を制御するための制
御回路が配されている。また、制御回路基板２３１には、各種端子２３５が配されている。
【００４９】
端子パネル２３３には、各種端子２３５の形状に合わせた開口が形成されており、これら開口を通じて、各種端子２３５が外部に臨む。なお、図示されていないが、固定板２３４にも、各種端子２３５が通る開口が形成されている。
【００５０】
固定板２３４は、金属材料で形成されており、その上部には、シールド部２３６が形成されている。シールド部２３６には、多数の開口２３６ａが形成されており、各開口２３５ａには、金網（図示せず）が装着されている。シールド部２３６は、吸気口８の内側に配され、吸気口８から外部に漏れようとする電磁波を遮蔽する。吸気口８から取り込まれた外気は、開口２３６ａを通って本体キャビネット１内部に流入する。
【００５１】
次に、図５から図９を参照して、ランプユニット１４およびファンユニット１６の構成について詳細に説明する
図５および図６は、ランプユニット１４およびファンユニット１６の構成を示す図である。図５（ａ）は、前方から見たランプユニット１４およびファンユニット１６の斜視図であり、図５（ｂ）は、ケーシングカバー６２０が取り外された状態で、前方から見たランプユニット１４およびファンユニット１６の斜視図である。図６（ａ）は、図５よりも正面方向から見たランプユニット１４およびファンユニット１６の斜視図であり、図６（ｂ）は、図６（ａ）のＡ−Ａ´断面図である。なお、図６および図７においては、便宜上、フィルタユニット７００を構成するフィルタ７２０が図示省略されている。
【００５２】
図５および図６を参照して、ランプユニット１４は、光源ランプ３００と、光源ランプ３００を保持するためのランプホルダ４００とで構成されている。
【００５３】
光源ランプ３００は、発光管３０１とリフレクタ３０２とを備えている（図６（ｂ）参照）。発光管３０１には、メタルハライドランプが用いられている。その他、超高圧水銀ランプ、キセノンランプ等のランプを用いることもできる。リフレクタ３０２は、内面が放物面形状を有し、発光管３０１から発せられた白色光を内面で反射して前方へ向かわせる。
【００５４】
ランプホルダ４００の前面には、光源ランプ３００からの光が出射される出射窓４０１が形成されている。出射窓４０１には、耐熱性のガラス板４０２が嵌め込まれている。ホルダ本体４００は後面が開口しており、この開口部に後方から光源ランプ３００が装着される。
【００５５】
ランプホルダ４００の上部および下部には、それぞれ、上部ダクト４０３および下部ダクト４０４が設けられている。また、図６（ｂ）に示すように、上部ダクトの４０３に繋がる上部吹出口４０５と、下部ダクトの４０４に繋がる下部吹出口４０６とが、リフレクタ３０２の内部に臨んでいる。さらに、ランプホルダ４００の中央部には、左右両側に排出口４０７が形成されている。なお、左右の排出口４０７のうち、左側の排出口４０７のみが、図６（ｂ）により図示されている。
【００５６】
なお、上部ダクト４０３の内部、下部ダクト４０４の内部および左右の排気口４０７には、それぞれ、図示しない金網部が配されている。これら金網部によって、発光管３０１が万一破損したときに、その破片が外部に飛び出さないようになされている。
【００５７】
ファンユニット１６は、２つのランプ用冷却ファン５０１、５０２と、これらランプ用冷却ファン５０１、５０２が収容されるファンケーシング６００と、ファンケーシング６
００に装着されるフィルタユニット７００とを備えている。
【００５８】
ランプ用冷却ファンン５０１、５０２は、遠心ファンであり、吸込口５０１ａ、５０２ａが端面に形成され、吐出口（図示せず）が外周面に形成されている。
【００５９】
ファンケーシング６００は、樹脂製のケーシング本体６１０と金属製のケーシングカバー６２０の２つの部材を備え、これら２つの部材によって、冷却ファン５０１、５０２が収容されるファン収容部６０１と、ファン収容部６０１の前方に設けられ、フィルタユニット７００が収容されるフィルタ収容部６０２とが構成されている。
【００６０】
ファン収容部６０１は、ほぼ方形状を有している。一方、フィルタ収容部６０２は、上面が開口するとともに底面を有する、ほぼ断面方形の筒状に形成されている。ただし、フィルタ収容部６１０の下端部については、右側面および前面に対応する部分が斜めの面となっており、三角形に近い筒状とされている。フィルタ収容部６０２は、上方から掃除機のノズルが挿入できる程度の大きさであり、たとえば、上面開口は、前後の寸法が４０ｍｍ程度、左右の寸法が４０ｍｍ程度とされている。
【００６１】
ケーシング本体６１０は、左側面が開放されたケース６１１を有する。ケース６１１内には、２つのランプ用冷却ファン５０１、５０２が、上下２段に積まれた状態で固定されている。
【００６２】
ケース６１１の上部には、第１ダクト６１２が形成されている。第１ダクト６１２の導入口は、ケース６１１の内部に臨んでおり、ランプ用冷却ファン５０１の吐出口に接続されている。また、６１１の中央部には、第２ダクト６１３が形成されている。第２ダクト６１３の導入口は、ケース６１１の内部に臨んでおり、ランプ用冷却ファン５０２の吐出口に接続されている。
【００６３】
図６（ａ）に示すように、第１ダクト６１２の導出口６１２ａは、ランプホルダ４００の上部ダクト４０３の導入口４０３ａに近接対向し、第２ダクト６１３の導出口６１３ａは、ランプホルダ４００の下部ダクト４０４の導入口４０４ａに近接対向する。
【００６４】
ケース６１１の前面には、取込口６１４が形成されている。ケース６１１の前面には、フィルタ収容部６０２の左側面を構成する左側縁部６１５と、フィルタ収容部の６０２の底面を構成する底面部６１６が形成されている。左側面部６１５の前端部には、前端部が右方に屈曲されることにより、コーナー部６１５ａが形成されている。
【００６５】
ケーシングカバー６２０は、ケースカバー部６２１と、第１のフィルタカバー部６２２と、第２のフィルタカバー部６２３とを備えている。ケースカバー部６２１は、ケース６１１の右側面を覆う。第１のフィルタカバー部６２２は、ケースカバー部６２１から前方に延びた後に直角に曲げられ左方へと延びる。第１のフィルタカバー部６２２は、フィルタ収容部６０２の右側面および前面を構成する。第２のフィルタカバー部６２３は、ケースカバー部６２１からやや前方に延びた後に左斜め前方へ延び、さらに右方に延びる。第２のフィルタカバー部６２３は、フィルタ収容部６０２の下端部を構成する。第１のフィルタカバー部６２２および第２のフィルタカバー部６２３には、それぞれ、複数の開口からなる吸気口６２２ａ、６２３ａがほぼ全面に亘って形成されている。
【００６６】
さらに、ケーシングカバー６２０には、上下２か所に、フィルタ収容部６０２の内部に突出する２つのガイド片６２４が形成されている。
【００６７】
図５（ａ）に示すように、ファンユニット１６は、制御回路ユニット２３のホルダ２３
２に固定される。この状態において、第１のフィルタカバー部６２２の下方がホルダ２３２の上面により覆われる。
【００６８】
図７は、フィルタユニット７００の構成示す図である。図７（ａ）、（ｂ）は、前方から見たフィルタユニット７００の斜視図であり、図７（ｃ）は、後方から見たフィルタユニット７００の斜視図である。なお、図７（ａ）は、フィルタ７２０が取り付けられた状態を示し、図７（ｂ）、（ｃ）は、フィルタ７２０が取り付けられる前の状態を示す。
【００６９】
図７を参照して、フィルタユニット７００は、フィルタホルダ７１０と、フィルタホルダ７１０に取り付けられるフィルタ７２０により構成さている。
【００７０】
フィルタホルダ７１０は、フィルタ７２０が収容される収容凹部７１１を備えている。収容凹部７１１の底面には通気口７１２が形成されている。通気口７１２には、格子７１３が形成されている。
【００７１】
フィルタホルダ７１０の上端部には、取っ手７１４が形成されている。取っ手７１４の後方には、ほぼ三角形状のカバー部７１５が形成されている。フィルタホルダ７１０の左端部には、左ガイド部７１６が形成されている。左ガイド部７１６は、フィルタ収容部６０２のコーナー部６１５ａに対応する形状を有している。また、フィルタホルダ７１０の右端部には、右ガイド部７１７が形成されている。右ガイド部７１７には、上下方向に走るガイド溝７１７ａが形成されている。さらに、フィルタホルダ７１０の下端部には、爪部７１８が形成されている。
【００７２】
フィルタ７２０は、長方形状を有するウレタン製のフィルタである。フィルタ７２０は、収容凹部７１１に、たとえば、接着剤により固定される。なお、フィルタ７２０は、ウレタン製以外のフィルタ、たとえば、不織布からなるフィルタであっても良い。
【００７３】
図８は、ファンユニット１６を、上側のガイド片６２４の位置で水平方向に切断した断面図である。
【００７４】
フィルタユニット７００は、上方からフィルタ収容部６０２に収容され、上方から見て、フィルタ収容部６０２のほぼ対角線の位置に配置される。即ち、フィルタユニット７００は、ファン収容部６０１の取込口６１４の正面位置であって、取込口６１４に対して斜めに配置される。
【００７５】
フィルタユニット７００がフィルタ収容部６０２に収容される際には、フィルタホルダ７１０の左ガイド部６１６が、フィルタ収容部６０２のコーナー部６１５ａによりガイドされる。また、右ガイド部７１７のガイド溝７１７ａに、２つのガイド片６２４が挿入されることによって、左ガイド部７１７が、２つのガイド片６２４によりガイドされる。
【００７６】
こうして、フィルタユニット７００がフィルタ収容部６０２に収容された状態において、フィルタ収容部６０２には、フィルタユニット７００の空気流入側に空洞状の第１のスペースＦＳが形成され、フィルタユニット７００の空気流出側には、空洞状の第２のスペースＲＳが形成される。また、図５（ｂ）に示すように、第２のスペースＲＳの上方開口は、フィルタホルダ７１０のカバー部７１５に覆われる。
【００７７】
さらに、フィルタユニット７００がフィルタ収容部６０２に収容されると、図５（ｂ）に示すように、フィルタホルダ７１０の爪部７１８が、フィルタ収容部６０２の底面部６１６の端部６１６ａに係合する。これにより、フィルタユニット７００が上方に動きにくくなる。ある程度の力が上方へ加えられると、爪部７１８と端部６１６ａとの係合が外れ
、フィルタユニット７００が上方に抜けるようになる。
【００７８】
プロジェクタの運転時には、ランプ用冷却ファン５０１、５０２が駆動される。さらに、ＤＭＤ用冷却ファン２０、ランプ用排気ファン２１および電源用排気ファン２２が駆動される。これにより、吸気口８を通じて本体キャビネット１内に外気が取り込まれる。
【００７９】
図８には、ファンユニット１６内における冷却風の流れが矢印で示されている。本体キャビネット１内に取り込まれた外気は、冷却風として、吸気口６２２ａ、６２３ａを通じてフィルタ収容部６０２に流入する。フィルタ収容部６０２に流入した冷却風は、フィルタ７２０を通過する。この際、冷却風に含まれる埃や塵は、フィルタ７２０を通過できず、フィルタ７２０に付着する。フィルタ７２０によって埃等が除去された冷却風は、取込口６１４からファン収容部６０１へ流入し、ランプ用冷却ファン５０１、５０２に取り込まれる。
【００８０】
なお、上述のように、第２のスペースＲＳの上方開口はフィルタユニット７００の装着によってカバー部７１５に覆われる（図５参照）。これにより、フィルタユニット７００を通る流路以外からファン収容部６０１に冷却風が取り込まれるのを防止でき、クリーンな冷却風をランプユニット１４へ供給できる。なお、フィルタユニット７００の空気流入側のスペースＦＳの上方は開放されているため、ここからは、冷却風が取り込まれる。
【００８１】
ランプ用冷却ファン５０１、５０２から吹き出された冷却風は、それぞれ、第１ダクト６１２および第２ダクト６１３を通じて、ランプホルダ４００の上部ダクト４０３および下部ダクト４０４に流入する。
【００８２】
図６（ｂ）には、ランプユニット１４における冷却風の流れが矢印で示されている。上部ダクト４０３に流入した冷却風は、ダクト内を流れて上部吹出口４０５に至り、上部吹出口４０５から光源ランプ３００のリフレクタ３０２の内側に吹き出される。また、下部ダクト４０４に流入した冷却風は、ダクト内を流れて下部吹出口４０６に至り、下部吹出口４０６からリフレクタ３０２の内側に吹き出される。これら上下両側からリフレクタ３０２に流入した冷却風により、リフレクタ３０２の内側が冷却される。その後、リフレクタ３０２内の冷却風は、排出口４０７からランプユニット１４の外部に排出される。
【００８３】
図９は、上方から見た、ランプ用カバー５が取り外された状態のプロジェクタの要部の斜視図である。図９（ａ）は、フィルタ収容部６０２にフィルタユニット７００が収容された状態を示す。図９（ｂ）は、フィルタ収容部６０２からフィルタユニット７００が取り出された状態を示す。
【００８４】
本体キャビネット１（上キャビネット２）の上面には、ランプ用開口１ｃが形成されている。ランプ用開口１ｃは、ランプユニット１４の真上に位置し、ランプユニット１４が出し入れ可能な大きさを有する。ランプユニット１４は、ランプ用開口１ｃを通じて、本体キャビネット１内に収容され、あるいは、本体キャビネット１内から取り出される。
【００８５】
また、本体キャビネット１の上面には、フィルタ用開口１ｄが形成されている。フィルタ用開口１ｄは、フィルタ収容部６０２の真上に位置し、フィルタ収容部６０２の上面の開口と、ほぼ同じ大きさを有する。フィルタユニット７００は、フィルタ用開口１ｄを通じて、フィルタ収容部６０２内に収容され、あるいは、フィルタ収容部６０２内から取り出される。
【００８６】
フィルタ７２０が目詰まりを起こすと、たとえば、プロジェクタから、その旨の報知がなされる。ユーザは、フィルタユニット７００を掃除するため、ランプ用カバー５を取り
外し、フィルタ収容部６０２からフィルタユニット７００を取り出す。
【００８７】
フィルタ収容部６０２には、上述のように、フィルタユニット７００の空気流入側（フィルタユニット７００と第１のフィルタカバー部６２２の間）に、比較的大きな第１のスペースＦＳが形成されている（図８参照）。よって、フィルタユニット７００を取り出す際に、フィルタ７２０の前面に付着した埃等が、第１のフィルタカバー部６２２（フィルタ収容部６０２の右側面および前面）に削ぎ落とされるようなことがなく、フィルタユニット７００から埃等が落ちにくい。
【００８８】
しかしながら、フィルタ収容部６０２の下端部では、フィルタ７２０の前面と第２のフィルタカバー部６２３との間が狭くなっているので、フィルタ７２０の前面のわずかな部分（下端部分）においては、付着した埃等が第２のフィルタカバー部６２３に接触する可能性がある。また、上述した爪部７１８と底面部６１６の端部６１６ａ係合が外れる際など、フィルタユニット７００を取り出す途中で、フィルタユニット７００に多少の衝撃が加わる可能もある。よって、フィルタユニット７００を取り外す際に、フィルタ７２０の前面に付着した埃等が、フィルタ収容部６０２の底部に落ちてしまうこともある。
【００８９】
本実施の形態では、上述したように、フィルタ収容部６０２がほぼ断面方形の筒状に形成されており、図９（ｂ）に示すように、フィルタユニット７００を取り出した後、フィルタ収容部６０２には、第１のスペースＦＳと第２のスペースＲＳが繋がった大きなスペースが生じる。よって、万一、フィルタ収容部６０２に埃等が落ちてしまっても、ユーザは、掃除機のノズルをフィルタ用開口１ｄからフィルタ収容部６０２内（第１のスペースＳＦ内や第２のスペースＲＳ内）に挿入し、底部に溜まった埃等を掃除機によって吸い取ることができる。
【００９０】
以上、本実施の形態では、ファンユニット１６にフィルタユニット７００が設けられており、本体キャビネット１内部に取り込まれた空気が、さらにファンユニット１６内部に取り込まれる際に、空気に含まれる埃等がフィルタユニット７００によって除去される。これにより、埃等の影響を受けてランプユニット１４に不具合が生じるのを防止することができる。たとえば、上部ダクト４０３の内部、下部ダクト４０４の内部および左右の排気口４０７に配した金網部に、埃等が付着して、光源ランプ３００への冷却風量が低下し、光源ランプ３００が過熱してしまうのを防止することができる。
【００９１】
しかも、本実施の形態では、ファンユニット１６への吸気量に応じたフィルタユニット７００を用いれば良く、フィルタユニット７００を吸気口８に設ける構成と比べて、フィルタユニット７００を小さくできる。よって、コストの削減を図ることができる。
【００９２】
また、本実施の形態では、光変調ユニット１４は、ＤＭＤが空気に触れない構成とされており、ランプユニット１４以外の冷却対象について埃等を除去する必要がないので、吸気口８からフィルタを省略することができる。よって、構成の簡素化とコストの削減を図ることができる。
【００９３】
さらに、本実施の形態では、フィルタユニット７００は、ファン収容部６０１の取込口６１４の正面位置であって、取込口６１４に対して斜めに配置されている。これにより、取込口６１４に対してフィルタユニット７００の面積を大きくできるので、フィルタユニット７００の寿命（使用時間）を長くすることができる。
【００９４】
さらに、本実施の形態では、フィルタ収容部６０２の底部に埃等が溜まっても、埃等を容易に除去することができるので、プロジェクタ内部をきれいに保つことができる。
【００９５】
以上、本発明の実施の形態について説明したが、本発明は、上記実施の形態に限定されるものではない。また、本発明の実施の形態も、特許請求の範囲に示された技術的思想の範囲内において、適宜、種々の変更が可能である。
【００９６】
たとえば、上記実施の形態では、フィルタ収容部６０２が上方に開口するとともに、本体キャビネット１の上面に開口１ｄに形成され、フィルタユニット７００が上面の開口１ｄからフィルタ収容部６０２内に収容される構成とされている。しかしながら、これに限らず、フィルタ収容部６０２が下方に開口するとともに、本体キャビネット１の底面に開口１ｄが形成され、フィルタユニット７００が底面の開口１ｄからフィルタ収容部６０２内に収容される構成とされても良い。
【００９７】
また、上記実施の形態では、ファン収容部６０１の取込口６１４に対しフィルタユニット７００が斜めに配置されている。しかし、フィルタユニット７００は、必ずしも斜めに配置される必要はなく、たとえば、取込口６１４の正面位置に、取込口６１４と平行な状態で配置されても良い。
【００９８】
さらに、上記実施の形態では、光変調ユニット１５を構成する光変調素子としてＤＭＤが用いられているが、これに限らず、液晶パネルが用いられても良い。
【００９９】
さらに、上記実施の形態では、光源ランプを有するランプユニット１４が用いられているが、ランプ光源以外の光源、たとえば、レーザ光源やＬＥＤ光源が用いられても良い。
【０１００】
この他、本発明の実施の形態は、特許請求の範囲に示された技術的思想の範囲内において、適宜、種々の変更が可能である。
【符号の説明】
【０１０１】
１  本体キャビネット
１ｄ  フィルタ用開口（開口部）
８  吸気口
１４  ランプユニット（光源ユニット）
１６  ファンユニット（冷却ユニット）
６１４  取込口
６０２  フィルタ収容部
【図１】
2011237725.tif 000003
【図２】
2011237725.tif 000004
【図３】
2011237725.tif 000005
【図４】
2011237725.tif 000006
【図５】
2011237725.tif 000007
【図６】
2011237725.tif 000008
【図７】
2011237725.tif 000009
【図８】
2011237725.tif 000010
【図９】
2011237725.tif 000011